(57)【特許請求の範囲】
【請求項１】
情報端末機器に設けられたタッチ表示パネルを収納するケースと、
前記ケース表面で、前記タッチ表示パネルの左側部位、右側部位及び下側部位に設けた押え枠体装着部と、
前記タッチパネル表面に沿わせた着脱可能な保護シートと、
前記押え枠体装着部に着脱され、前記保護シートを押さえる押え枠体部と、
で構成され、
前記ケースの左側部位、右側部位に設けた前記押え枠体装着部に縦方向に水抜き溝部を、前記ケースの下側部位に前記水抜き溝部と連なる横方向溝部を形成し、前記横方向溝部の左右に水抜き穴を形成した、
情報端末機器のディスプレイ装置。
【請求項２】
前記押え枠体部が開口周縁部内面にシール部材を有し、前記押え枠体部を前記押え枠体装着部に装着することにより前記シール部材を前記ケースの表側に当接させる請求項１に記載の情報端末機器のディスプレイ装置。
【発明の詳細な説明】
【０００１】
【発明の属する技術分野】
本発明は、電子式キャッシュレジスタのような端末電子機器のディスプレイ装置に関するものである。
【０００２】
【従来の技術】
従来の端末電子機器としての電子式キャッシュレジスタは、図２２に示すように固定式のディスプレイ７０とキーボード部７１とを備えており、キーボード部７１に入力したデータをディスプレイ７０に表示し、または、外部からのデータをディスプレイ７０に表示しており、データを別置のプリンター（図示せず）で打ち出すようにしていた。そして、ディスプレイ７０の表面には表面を保護するための保護シート７２が張り付けてあった。
【０００３】
【発明が解決しようとする課題】
しかしながら、上記従来の電子式キャッシュレジスタにあっては、保護シート７２がディスプレイ７０の表面に張り付けてあるために、この保護シート７２の交換ができず、また、ディスプレイ７０の内部への水等の侵入を効率よく防止する手段は無いに等しいという問題点があった。
【０００４】
本発明は、上記の問題点に着目して成されたものであって、その目的とするところは、タッチ表示パネルの表面を保護する保護シートの着脱が可能になるし、また、ディスプレイの前面からの水等の侵入を防止することができる情報端末機器のディスプレイ装置を提供することにある。
【０００５】
【課題を解決するための手段】
上記の課題を解決するために、請求項１の発明に係る情報端末機器のディスプレイ装置は、情報端末機器に設けられたタッチ表示パネルを収納するケースと、前記ケース表面で、前記タッチ表示パネルの左側部位、右側部位及び下側部位に設けた押え枠体装着部と、前記タッチパネル表面に沿わせた着脱可能な保護シートと、前記押え枠体装着部に着脱され、前記保護シートを押さえる押え枠体部と、で構成され、前記ケースの左側部位、右側部位に設けた前記押え枠体装着部に縦方向に水抜き溝部を、前記ケースの下側部位に前記水抜き溝部と連なる横方向溝部を形成し、前記横方向溝部の左右に水抜き穴を形成した。
【０００６】
また、上記の課題を解決するために、請求項２の発明に係る情報端末機器のディスプレイ装置は、請求項１に記載の情報端末機器のディスプレイ装置において、押え枠体部が開口周縁部内面にシール部材を有し、押え枠体部を押え枠体装着部に装着することによりシール部材をケースの表側に当接させた。
【００１０】
したがって、タッチ表示パネルの表面を保護する保護シートを押え枠体装着部に着脱可能に装着した押え枠体で押さえることで、保護シートをタッチ表示パネルの表面に沿わせることができ、また、この押え枠体を外すことにより保護シートを取り換えることができる。このように保護シートの着脱が可能になるし、また、ディスプレイの前面からの水等の侵入を防止することができる。
【００１１】
【発明の実施の形態】
以下、本発明の実施の形態を図面に基づいて説明する。
【００１２】
請求項１の発明に係る情報端末機器のディスプレイ装置は、情報端末機器に設けられたタッチ表示パネルを収納するケースと、前記ケース表面で、前記タッチ表示パネルの左側部位、右側部位及び下側部位に設けた押え枠体装着部と、前記タッチパネル表面に沿わせた着脱可能な保護シートと、前記押え枠体装着部に着脱され、前記保護シートを押さえる押え枠体部と、で構成され、前記ケースの左側部位、右側部位に設けた前記押え枠体装着部に縦方向に水抜き溝部を、前記ケースの下側部位に前記水抜き溝部と連なる横方向溝部を形成し、前記横方向溝部の左右に水抜き穴を形成したことを特徴とする。
【００１３】
かかる構成により、タッチ表示パネルの表面を保護する保護シートを押え枠体装着部に着脱可能に装着した押え枠体で押さえることで、保護シートをタッチ表示パネルの表面に沿わせることができ、また、この押え枠体を外すことにより保護シートを取り換えることができる。このように保護シートの着脱が可能になる。また、例え、ディスプレイの前面からの侵入した水等があっても、この水は縦方向水抜き溝部及び横方向溝部を流れて水抜き孔から外部に排出することができて、ディスプレイへの水等の影響を極力小さくすることができる。
【００１４】
また、上記の課題を解決するために、請求項２の発明に係る情報端末機器のディスプレイ装置は、請求項１に記載の情報端末機器のディスプレイ装置において、押え枠体部が開口周縁部内面にシール部材を有し、押え枠体部を押え枠体装着部に装着することによりシール部材をケースの表側に当接させた。
【００１５】
かかる構成により、上記した請求項１の発明の作用効果と同様な作用効果を奏し得るばかりか、保護シートを押え枠体で押さえることで、この保護シートをタッチ表示パネルの表面に沿わせた際に、シール部材をケースの表側に当接してディスプレイの前面からの水等の侵入を防止することができる。
【００２２】
図１は本発明に係る情報端末機器としての電子式キャッシュレジスタの斜視図である。
【００２３】
本発明に係る情報端末機器としての電子式キャッシュレジスタは装置本体であるベース１を備えており、このベース１は下側ケース２と上側ケース３とから構成してある。この下側ケース２の内部には下方が解放したシャーシ装着部（図示せず）が設けてあり、下側ケース２の上側周縁部が嵌合部５になっている。
【００２４】
上側ケース３は、図４乃至図６に示すように面部６とこの面部６の周縁部に形成された周壁部７とを有しており、この周壁部７の下側周縁部が嵌合部７Ａになっている。また、面部６には、その前側から後側にかけて札載置部８と筆載置部４と枢支部９とディスプレイ設置部１０とが形成してある。そして、下側ケース２には、その嵌合部５に嵌合部７Ａを嵌合して上側ケース３が取り付けてある。
【００２５】
札載置部８は、図７及び図８に示すように面部６に水平に形成された凹部から成る載置面部１１を有しており、この載置面部１１の後部中央には札挟持機構１２が設けてある。この札挟持機構１２は、載置面部１１の後部中央に形成されたホルダー係合部１３と、このホルダー係合部１３に係脱可能に係合するホルダー部材１４と、このホルダー部材１４に保持されるクッション部材１５及び鋼球１６から構成してある。そして、ホルダー部材１４のクッション収容部１７内に板状のクッション部材１５と鋼球１６とを収容した状態で、ホルダー部材１４がホルダー係合部１３に取り付けてある。そして、鋼球１６は載置面部１１に当接している。
【００２６】
また、前記面部８には札載置部８の後方に位置させて筆載置部４が設けてある。この筆載置部４は札載置部８の後壁部に平行した突条部１８を形成して構成してある。
【００２７】
前記枢支部９は、上側ケース３の幅方向に長い前、後側受け部２０と前、後側受け部２１間に位置する左右の軸受け部２４とで構成してある。
【００２８】
また、ディスプレイ設置部１０は前面側傾斜面部２５と後面傾斜部２６とで構成してあり、前面側傾斜面部２５の左右には立壁部２７に囲まれたステー挿入孔部２８が形成してある。
【００２９】
表側ケース３２は、図９乃至図１１に示すように、四角枠形状のケース本体３２Ａを有しており、このケース本体３２Ａの下部は円弧状に形成してあり、ケース本体３２Ａの左右縁部及び上部には嵌合部５１が形成してある。また、ケース本体３２Ａの表面には、その左、右側部位及び下側部位に位置させて押え枠体装着部５２が形成してある。この押え枠体装着部５２の左、右側部位には縦方向水抜き溝部である水抜き溝部５３が形成してあり、また、押え枠体装着部５２の下側部位には表側ケース３２の幅方向（左右方向）に沿う横方向溝部である溝部５４が形成してあり、この溝部５４に水抜き溝部５３の下部が連なっていて、溝部５４に左右にはに水抜き孔５５が形成してある。
【００３０】
そして、押え枠体装着部５２の左、右側部位には水抜き溝部５３の中間部に位置させて係止部５６が形成してあり、また、押え枠体装着部５２の下側部位には溝部５４の左右及び中央部に位置させて、一対の係止片５７を対峙させて形成した係止部５８が設けてある。また、押え枠体装着部５２の左右側部位の上部にはシート耳部挿入凹部５９が形成してある。
【００３１】
そして、裏側ケース３１には、その嵌合部に嵌合部５１を嵌合させて表側ケース３２が取り付けてあり、この裏側ケース３１と表側ケース３２とが成すケース３３内にはタッチ表示パネル３４が収容してある。このタッチ表示パネル３４には、タッチスイッチ部と表示部（いずれも図示せず）とが隣合せに設けてある。この場合、表側ケース３２の下部の円弧部３２ｄと裏側ケース３１の下部の円弧部３１ｄとが合わさることで、断面半円形状のケース下端部３３Ａを形成していて、このケース下端部３３Ａは前記枢支部９の前、後側受け部２０、２１に摺接している。
【００３２】
そして、タッチ表示パネル３４の表面には透明な保護シート３５が沿わせてあって、押え枠体装着部５２には押え枠体６０が着脱可能に装着してあり、この押え枠体６０が保護シート３５を押えている。
【００３３】
すなわち、この押え枠体６０の裏面の左、右側部位には、図１２及び図１３に示すように縦リブ部６１とこの係止突起部６２とが形成してあり、また、押え枠体６０の裏面の下側部位には横リブ部６３が形成してあり、この横リブ部６３の左右及び中央部に係止突起部６４が形成してある。また、押え枠体６０の裏面の開口周縁部にはシール部材６５が張り付けてある。また、押え枠体６０の上側部位には差込みリブ部６６が形成してある。
【００３４】
また、保護シート３５は図１及び図１５に示すように透明なシート本体３５Ａを有しており、このシート本体３５Ａの左、右側縁部の上部には耳部６７が形成してあり、シート本体３５Ａの下部には折り曲げにより引っ掛け部６８が形成してある。
【００３５】
そして、この保護シート３５をタッチ表示パネル３４の表面に沿わせて、耳部６７をシート耳部挿入凹部５９に挿入すると共に、引っ掛け部６８を表側ケース３２の開口部３２ａの下縁部に引っ掛け、押え枠体６０の差込みリブ部６６を表側ケース３２の開口部３２ａの上縁部に引っ掛けて、係止突起部６２を係止部５６に、係止突起部６４を係止部５８にそれぞれ係止して、押え枠体６０が押え枠体装着部５２に着脱可能に装着してあり、この押え枠体６０が保護シート３５を押えている。そして、押え枠体６０のシール部材６５が開口部３２ａの周縁部に当接している。
【００３６】
また、裏側ケース３１の外面の左右にはステー部材３６の基部３６Ａがねじ部材により固定してあり、ステー部材３６がディスプレイ設置部１０のステー挿入孔部２８に挿入してある。
【００３７】
前記ディスプレイ設置部１０の前面側傾斜面部２５の裏面側には、ディスプレイ３０の姿勢（傾き角度）を設定するユニット化されたディスプレイ傾度設定手段であるディスプレイ傾度設定機構４０が設けてある。このディスプレイ傾度設定機構４０はステーホルダー４１を備えており、このステーホルダー４１は、図１２乃至図１４に示すように取付孔４２ａを有する取付座部４２に対して直角に折り曲げられたプレート部４３を有しており、このプレート部４３の両側部には、このプレート部４３に対して直角に折り曲げられた軸保持部４４が形成してあり、これらの軸保持部４４には長孔部４５が設けてある。この長孔部４５の軸線（移動線）イはプレート部４３の面部４３ａに平行な面ロに対して所定の角度α（約１５度）傾けてある。また、軸保持部４４には、この軸保持部４４に対して直角に折り曲げられた取付部４６が形成してあり、これらの取付部４６にはばね係止部４７が形成してある。
【００３８】
そして、前記プレート部４３の面部４３ａには合成樹脂製の滑りプレート４８が取り付けてある。また、軸保持部４４には、長孔部４５に、その両端部を挿入して支軸４８が長孔部４５の軸線イ方向に移動可能に取り付けてあり、この支軸４８にはローラ４９が回転可能に取り付けてある。また、支軸４８の両端部にはばね係止部５０が形成してあり、この支軸４８の両端のばね係止部５０と左右のばね係止部４７との間にはそれぞれ弾性付勢部材であるばね部材５１が掛け渡してある。そして、ばね部材５１により支軸４８は長孔部４５の下端部４５ｂ側に引っ張られていて、ローラ４９が滑り部材である滑りプレート４８に当接している。
【００３９】
このように構成されたディスプレイ傾度設定機構４０は、その取付座部４２を前面側傾斜面部２５の裏面側に形成された取付部５３にねじ止めされて上側ケース３に取り付けてあり、この上側ケース３のディスプレイ設置部１０のステー挿入孔部２８に挿入されたステー部材３６がローラ４９と滑りプレート４８との間に挿入してあり、ばね部材５１により下方に引っ張られたローラ４９がステー部材３６の外側面に押し付けられていて、ステー部材３６は、その内面で滑りプレート８に摺接している。また、ステー部材３６の先端部にはストッパー５４が取り付けてある。
【００４０】
次に、ディスプレイ３０の姿勢設定動作を説明する。
このディスプレイ３０を前傾作動させる場合には、ディスプレイ３０を手で持って手前に引くようにする。この場合、ディスプレイ傾度設定機構４０においては、図３の（１）に示すようにステー部材３６が上方向に移動することで、このステー部材３６の外側面に押し付けられていたローラ４９が上方向の力を受けて、このローラ４９を支承する支軸４８がばね部材５１の引張力に抗して持ち上げられる。支軸４８は長孔部４５をガイドとして持ち上げられるが、この長孔部４５の軸線イはプレート部４３の面部４３ａに平行な面ロに対して所定の角度α（約１５度）傾けてあるために、ローラ４９は上昇するにしたがって、ステー部材３６の外側面より離れる。このために、ステー部材３６はローラ４９による抵抗がなくなり、ディスプレイ３０を円滑に前傾させることができる。
【００４１】
そして、ディスプレイ３０を所定の角度に傾動し終えると、ばね部材５１の引張力により支軸４８が下方に引かれてローラ４９が下降して、ステー部材３６の外側面に当接し、一種の楔効果によりステー部材３６がローラ４９と滑りプレート４８とで挟持されるために、ディスプレイ３０は所定の角度に保持される。
【００４２】
また、ディスプレイ３０を所定の角度後方に傾動させる場合には、ディスプレイ３０を手で後方に押すようにする。この場合、ローラ４９と滑りプレート４８とよるステー部材３６の挟持力より手による押圧力が大きくなると、図３の（２）に示すようにステー部材３６が滑りプレート４８に沿って滑り、ディスプレイ３０は所定の角度後方に傾動する。そして、押圧力を解除すると、その後傾位置にディスプレイ３０は保持される。
【００４３】
また、札載置部８の載置面部１１に札Ｐを載せて押すことにより、鋼球１６と載置面部１１との間に札Ｐの端部を差し込んで、この札Ｐを札載置部８に移動しないように載せることができる。この場合、鋼球１６がクッション部材１５に抗して上の競り上がり、このクッション部材１５の圧縮反力が鋼球１６に加わって、札Ｐを載置面部１１と共に、挟持するようになる。
【００４４】
上記のように、タッチ表示パネル３４の表面を保護する保護シート３５を押え枠体装着部５２に着脱可能に装着した押え枠体６０で押さえることで、保護シート３５をタッチ表示パネル３４の表面に沿わせることができ、また、この押え枠体６０を外すことにより保護シート３５を取り換えることができる。このように保護シート３５の着脱が可能になる。
【００４５】
また、保護シート３５を押え枠体６０で押さえることで、この保護シート３５をタッチ表示パネル３４の表面に沿わせた際に、シール部材６５をケース３３の表側に当接してディスプレイの前面からの水等の侵入を防止することができるし、押え枠体装着部５２の左、右側部位に水抜き溝部５３を形成し、押え枠体装着部５２の下側部位に溝部５４を形成し、水抜き溝部５３の下部を溝部５４に連らねると共に、溝部５４の左右に水抜き孔５５を形成したことにより、例え、ディスプレイの前面からの侵入した水等があっても、この水は水抜き溝部５３及び溝部５４を流れて水抜き孔５５から外部に排出することができて、ディスプレイへの水等の影響を極力小さくすることができる。
【００４６】
【発明の効果】
以上説明したように、本発明に係る情報端末機器のディスプレイ装置にあっては、タッチ表示パネルの表面を保護する保護シートを押え枠体装着部に着脱可能に装着した押え枠体で押さえることで、保護シートをタッチ表示パネルの表面に沿わせることができ、また、この押え枠体を外すことにより保護シートを取り換えることができる。このように保護シートの着脱が可能になる。
【００４７】
また、保護シートを押え枠体で押さえることで、この保護シートをタッチ表示パネルの表面に沿わせた際に、シール部材をケースの表側に当接してディスプレイの前面からの水等の侵入を防止することができるし、例え、ディスプレイの前面からの侵入した水等があっても、この水は縦方向水抜き溝部及び横方向溝部を流れて水抜き孔から外部に排出することができて、ディスプレイへの水等の影響を極力小さくすることができる。
【図面の簡単な説明】
【図１】本発明に係るディスプレイ装置を備えた情報端末機器としての電子式キャッシュレジスタの斜視図
【図２】同電子式キャッシュレジスタの一部省略した断面図
【図３】(１)、(２)は本発明に係るディスプレイの姿勢設定装置の作動説明図
【図４】同電子式キャッシュレジスタの上側ケースの平面図
【図５】同上側ケースの側面図
【図６】同上側ケースの断面図
【図７】札載置部の平面図
【図８】(１)は図７のＡ−Ａ線に沿う断面図
(２)は札載置部に札をセットした状態の説明図
【図９】表側ケースの裏側から見た平面図
【図１０】図９のＢ−Ｂ線に沿う断面図
【図１１】係止部の拡大断面図
【図１２】押え枠体の裏面から見た平面図
【図１３】(１)は図１２のＤ方向からの矢視図
(２)は図１２のＥ方向からの矢視図
(３)は図１２のＦ方向からの矢視図
【図１４】保護シートの平面図
【図１５】図１４のＧ−Ｇ線に沿う断面図
【図１６】ステー部材の側面図
【図１７】図９のＨ方向からの矢視図
【図１８】支軸の平面図
【図１９】ステーホルダーの平面図
【図２０】図１９のＩ方向からの矢視図
【図２１】図１９のＪ方向からの矢視図
【図２２】従来の電子式キャッシュレジスタの斜視図
【符号の説明】
３３    ケース
３４    タッチ表示パネル
３５    保護シート
５２    押え枠体装着部
５３    水抜き溝部(縦方向水抜き溝部)
５４    溝部(横方向溝部)
５５    水抜き孔
６０    押え枠体
６５    シール部材
【図１】
0003609250.tif 000002
【図２】
0003609250.tif 000003
【図３】
0003609250.tif 000004
【図４】
0003609250.tif 000005
【図５】
0003609250.tif 000006
【図６】
0003609250.tif 000007
【図７】
0003609250.tif 000008
【図８】
0003609250.tif 000009
【図９】
0003609250.tif 000010
【図１０】
0003609250.tif 000011
【図１１】
0003609250.tif 000012
【図１２】
0003609250.tif 000013
【図１３】
0003609250.tif 000014
【図１４】
0003609250.tif 000015
【図１５】
0003609250.tif 000016
【図１６】
0003609250.tif 000017
【図１７】
0003609250.tif 000018
【図１８】
0003609250.tif 000019
【図１９】
0003609250.tif 000020
【図２０】
0003609250.tif 000021
【図２１】
0003609250.tif 000022
【図２２】
0003609250.tif 000023